(57)【要約】【目的】液晶ＬＣＤ等の表示画面の画像をピンぼけすることなく電子ペーパー等の記録媒体にプリントする。【構成】携帯電話１０の画像表示部１２の第２ケーシング２６は、ヒンジ２８によって第１ケーシング２９に対して接離可能となっており、第２ケーシング２６に設けられた保護パネル１８と液晶ＬＣＤユニット２１との間に収納部３２ができる。この収納部３２に光書込み型電子ペーパー１６を収納し、保護パネル１８を介さずに液晶ＬＣＤユニット２１の表示画像を光書込み型電子ペーパー１６に光書込みを行う。これによって、ピンぼけのない画像を光書込み型電子ペーパー１６にプリントできる。【選択図】  図３
2005010663.tif 000002
【特許請求の範囲】
【請求項１】
発光して画像を表示する画像表示手段と、
前記画像表示手段の表面に面して設けられ、前記画像表示手段の表面を保護する保護パネルと、
前記画像表示手段と前記保護パネルとの間に設けられ、記録媒体を収納し、前記画像表示手段からの発光を前記記録媒体に照射させる収納部と、
を有することを特徴とする画像表示装置。
【請求項２】
前記画像表示手段と前記保護パネルを接離させ、前記収納部を拡大させ、又は縮小させる第１接離手段を有することを特徴とする請求項１に記載の画像表示装置。
【請求項３】
前記第１接離手段は、前記画像表示手段と前記保護パネルを連結し、屈伸して接離させるヒンジであることを特徴とする請求項２に記載の画像表示装置。
【請求項４】
前記記録媒体が、電圧を印加され光を照射されることによって潜像が形成される光導電層と、前記光導電層と共に電圧を印加されることによって前記潜像を可視化する表示層と、が積層された媒体であることを特徴とする請求項１乃至３の何れかに記載の画像表示装置。
【請求項５】
前記記録媒体が、書き換えが可能であることを特徴とする請求項４に記載の画像表示装置。
【請求項６】
前記表示層が、コレステリック液晶層であることを特徴とする請求項５に記載の画像表示装置。
【請求項７】
前記表示層が、前記表示層に生じる電界によって帯電されて移動される粒子が封入された電気泳動式表示層であることを特徴とする請求項５に記載の画像表示装置。
【請求項８】
前記記録媒体の電極に接続され、前記記録媒体に電圧を印加する電圧印加手段を有することを特徴とする請求項４乃至７の何れかに記載の画像表示装置。
【請求項９】
前記画像表示手段の画像を前記記録媒体に記録する際に操作される操作手段と、
前記操作手段が操作されると前記電圧印加手段によって前記記録媒体に電圧を印加させ、前記画像表示手段の画像が前記記録媒体に記録されると、前記電圧印加手段による前記記録媒体への電圧の印加を解除させる制御手段と、
を有することを特徴とする請求項８に記載の画像表示装置。
【請求項１０】
前記画像表示手段は、
画像を表示する表示画面と、
前記表示画面を照明する発光手段と、
前記発光手段を前記表示画面に対して接離可能とする第２接離手段と、
を有することを特徴とする請求項１乃至９の何れかに記載の画像表示装置。
【請求項１１】
携帯電話としての機能を備えることを特徴とする請求項１乃至１０の何れかに記載の画像表示装置。
【請求項１２】
携帯端末としての機能を備えることを特徴とする請求項１乃至１０の何れかに記載の画像表示装置。
【請求項１３】
デジタルカメラとしての機能を備えることを特徴とする請求項１乃至１０の何れかに記載の画像表示装置。
【請求項１４】
画像表示装置の使用方法であって、
前記画像表示装置が、
発光して画像を表示する画像表示手段と、
前記画像表示手段の表面に面して設けられ、前記画像表示手段の表面を保護する保護パネルと、
前記画像表示手段と前記保護パネルとの間に設けられ、記録媒体を収納し、前記画像表示手段からの発光を前記記録媒体に照射させる収納部と、
を有し、
前記記録媒体が、電圧を印加され光を照射されることによって潜像が形成される光導電層と、前記光導電層と共に電圧を印加されることによって前記潜像を可視化する表示層と、が積層され、前記表示層によって可視化される画像が無電源で維持される媒体であり、
前記記録媒体の前記光導電層を前記画像表示手段に向けて前記収納部に収納し、前記画像表示手段の１度の発光、及び前記電圧印加手段による前記記録媒体への１度の電圧の印加によって前記画像表示手段の画像を前記記録媒体に記録し、前記記録媒体に記録された画像を前記保護パネルを通して表示することを特徴とする画像表示装置の使用方法。
【請求項１５】
前記記録媒体を前記収納部から取り出して前記画像表示手段の画像を前記保護パネルを通して直接表示することを特徴とする請求項１４に記載の画像表示装置の使用方法。
【発明の詳細な説明】
【０００１】
【発明の属する技術分野】
本発明は、画像を表示する画像表示装置、及び画像表示装置の使用方法に関する。
【０００２】
【従来の技術】
従来から感光材料等の記録媒体を携帯電話等に設けられた画像表示手段としての液晶画面に対面させ、バックライトから発光され液晶画面を透過した光によって感光材料の感光面を露光し、液晶画面の画像をプリントするプリンタが考案されている（例えば、特許文献１参照）。
【０００３】
しかしながら、携帯電話等の液晶画面の表面は保護パネルで覆われており、この保護パネルによって液晶画面を透過した光が減衰され、又は屈折され記録媒体に入射する光量が低下する。このため、暗くぼやけた画像が記録媒体に記録されるという問題があった。
【０００４】
【特許文献１】
特開２００１−２５３１２３号公報
【０００５】
【発明が解決しようとする課題】
本発明は上記事実を考慮してなされたものであり、画像表示手段からの発光を減衰させ、又は屈折させることなく記録媒体に入射させ、適当な明るさで鮮明な画像を記録媒体に記録することを目的とする。
【０００６】
【課題を解決するための手段】
請求項１に記載の画像表示装置は、発光して画像を表示する画像表示手段と、前記画像表示手段の表面に面して設けられ、前記画像表示手段の表面を保護する保護パネルと、前記画像表示手段と前記保護パネルとの間に設けられ、記録媒体を収納し、前記画像表示手段からの発光を前記記録媒体に照射させる収納部と、を有することを特徴とする。
【０００７】
請求項１に記載の画像表示装置では、液晶画面等の画像表示手段が発光して画像を表示する。また、保護パネルが画像表示手段の表面に面して設けられ、画像表示手段の表面を保護している。この画像表示手段と保護パネルとの間には、記録媒体を収納する収納部が設けられており、画像表示手段からの発光が記録媒体に照射される。
【０００８】
このように、画像表示手段と記録媒体との間に何も介在させずに、画像表示手段の画像を記録媒体に記録するようにしたので、画像表示手段から記録媒体に照射される光が減衰されたり、屈折されたりすることがない。従って、画像表示手段の画像を記録媒体に適当な明るさで鮮明に記録できる。
【０００９】
請求項２に記載の画像表示装置は、請求項１に記載の画像表示装置であって、前記画像表示手段と前記保護パネルを接離させ、前記収納部を拡大させ、又は縮小させる第１接離手段を有することを特徴とする。
【００１０】
請求項２に記載の画像表示装置では、画像表示手段と保護パネルが、第１接離手段によって接離され、収納部が拡大され、又は縮小される。
【００１１】
このため、通常の表示状態では、保護パネルを画像表示手段に接近させて収納部を縮小させることによって、画像表示手段の表面を保護できる。また、画像表示手段の画像を記録媒体に記録する時には、保護パネルを画像表示手段から離して収納部を拡大させることによって、収納部に記録媒体を挿入できる。
【００１２】
請求項３に記載の画像表示装置は、請求項２に記載の画像表示装置であって、前記第１接離手段は、前記画像表示手段と前記保護パネルを連結し、屈伸して接離させるヒンジであることを特徴とする。
【００１３】
請求項３に記載の画像表示装置では、画像表示手段と保護パネルがヒンジによって連結されている。このヒンジが屈伸して収納部を接離させることによって収納部の幅を調整可能としているので、様々な厚さの記録媒体を収納部に収納できる。
【００１４】
また、収納部に収納されている記録媒体を、保護パネルと画像表示手段によって挟み込み、記録媒体を画像表示手段に密着させて記録媒体と画像表示手段との間を遮光することができる。このため、外光の影響を受けることなく画像表示手段の画像を記録媒体に記録できる。
【００１５】
また、画像表示手段の画像を記録媒体に記録しない時は、保護パネルを画像表示手段の表面に密着できる。このため、通常の表示時には、画像表示手段と保護パネルとの間に粉塵が入ることを防止できる。
【００１６】
請求項４に記載の画像表示装置は、請求項１乃至３の何れかに記載の画像表示装置であって、前記記録媒体が、電圧を印加され光を照射されることによって潜像が形成される光導電層と、前記光導電層と共に電圧を印加されることによって前記潜像を可視化する表示層と、が積層された媒体であることを特徴とする。
【００１７】
請求項４に記載の画像表示装置では、記録媒体の光導電層と表示層に電圧が印加され、光導電層に画像表示手段から光を照射されると、光導電層に潜像が形成される。この潜像が記録媒体の表示層によって可視化される。この表示層は、例えばコレステリック液晶層等で、光導電層の抵抗の変化に応じて状態を変化させるようなものである。
【００１８】
ここで、光導電層は、電圧を印加し、光を照射することによって何度でも書き換えることができ、表示層は光導電層が書き換えられる度に光導電層の潜像を可視化する。従って、この記録媒体は繰り返して使用できる媒体であり、環境負荷が小さい。
【００１９】
請求項５に記載の画像表示装置は、請求項４に記載の画像表示装置であって、前記記録媒体が、書き換えが可能であることを特徴とする。
【００２０】
請求項５に記載の画像表示装置では、記録媒体に光パターンを照射し、電圧を印加することによって何度でも書き換えが可能である。このため、環境負荷が低いという利点がある。
【００２１】
請求項６に記載の画像表示装置は、請求項５に記載の画像表示装置であって、前記表示層が、コレステリック液晶層であることを特徴とする。
【００２２】
請求項６に記載の画像表示装置では、表示層がコレステリック液晶層である記録媒体に光パターンを照射し、電圧を印加する。コレステリック液晶層は、無電源で画像を維持できるので、記録媒体による表示時に、画像表示装置によって電源を供給する必要がない。
【００２３】
請求項７に記載の画像表示装置は、請求項５に記載の画像表示装置であって、前記表示層が、前記表示層に生じる電界によって帯電されて移動される粒子が封入された電気泳動式表示層であることを特徴とする。
【００２４】
請求項７に記載の画像表示装置では、記録媒体に光パターンが照射され、電圧が印加されると、表示層に封入された粒子が、表示層に生じた電界によって帯電されて移動され、光導電層に形成された潜像を可視化させる。
【００２５】
請求項８に記載の画像表示装置は、請求項４乃至７の何れかに記載の画像表示装置であって、前記記録媒体の電極に接続され、前記記録媒体に電圧を印加する電圧印加手段を有することを特徴とする。
【００２６】
請求項８に記載の画像表示装置では、電圧印加手段が、光導電層と表示層が積層された記録媒体の電極に接続され、記録媒体に電圧を印加する。これによって、記録媒体に電圧を印加するための外部装置が不要となり、携帯性が高くなる。
【００２７】
請求項９に記載の画像表示装置は、請求項８に記載の画像表示装置であって、前記画像表示手段の画像を前記記録媒体に記録する際に操作される操作手段と、前記操作手段が操作されると前記電圧印加手段によって前記記録媒体に電圧を印加させ、前記画像表示手段の画像が前記記録媒体に記録されると、前記電圧印加手段による前記記録媒体への電圧の印加を解除させる制御手段と、を有することを特徴とする。
【００２８】
請求項９に記載の画像表示装置では、操作手段が操作されると、制御手段が電圧印加手段によって記録媒体に電圧を印加させる。これによって、画像表示手段の画像が記録媒体に記録される。
【００２９】
そして、画像表示手段の画像が記録媒体に記録されると、制御手段は電圧印加手段による記録媒体への電圧の印加を解除させる。これによって、記録媒体を収納部から取り出す際に、記録媒体に照射される画像表示手段からの光によって転写された画像が崩れてしまうことがない。
【００３０】
請求項１０に記載の画像表示装置は、請求項１乃至９の何れかに記載の画像表示装置であって、前記画像表示手段は、画像を表示する表示画面と、前記表示画面を照明する発光手段と、前記発光手段を前記表示画面に対して接離可能とする第２接離手段と、を有することを特徴とする。
【００３１】
請求項１０に記載の画像表示装置では、発光手段によって表示画面が照明されることによって、表示画面に表示された画像を視認できる。発光手段は、第２接離手段によって表示画面に対して接離可能となっている。このため、表示画面の画像を記録媒体に記録する時に、焦点距離を調整できるのでピンぼけを防止できる。
【００３２】
請求項１１に記載の画像表示装置は、請求項１乃至１０の何れかに記載の前記画像表示装置であって、携帯電話としての機能を備えることを特徴とする。
【００３３】
請求項１１に記載の携帯電話としての機能を備える画像表示装置では、液晶ＬＣＤや有機ＥＬ表示画面等の画像表示手段によって表示される電子メール等の画像や文章を記録媒体にピンぼけすることなくプリントできる。
【００３４】
請求項１２に記載の携帯端末としての機能を備える画像表示装置は、請求項１乃至１０の何れかに記載の前記画像表示装置を備えることを特徴とする。
【００３５】
請求項１２に記載のＰＤＡ等の携帯端末としての機能を備える画像表示装置では、液晶ＬＣＤや有機ＥＬ表示画面等の画像表示手段によって表示される画像や文章を記録媒体にピンぼけすることなくプリントできる。
【００３６】
請求項１３に記載のデジタルカメラとしての機能を備える画像表示装置は、請求項１乃至１０の何れかに記載の前記画像表示装置を備えることを特徴とする。
【００３７】
請求項１３に記載のデジタルカメラとしての機能を備える画像表示装置では、液晶ＬＣＤや有機ＥＬ表示画面等の画像表示手段によって表示される再生画像等を記録媒体にピンぼけすることなくプリントできる。
【００３８】
請求項１４に記載の画像表示装置の使用方法は、前記画像表示装置が、発光して画像を表示する画像表示手段と、前記画像表示手段の表面に面して設けられ、前記画像表示手段の表面を保護する保護パネルと、前記画像表示手段と前記保護パネルとの間に設けられ、記録媒体を収納し、前記画像表示手段からの発光を前記記録媒体に照射させる収納部と、を有し、前記記録媒体が、電圧を印加され光を照射されることによって潜像が形成される光導電層と、前記光導電層と共に電圧を印加されることによって前記潜像を可視化する表示層と、が積層され、前記表示層によって可視化される画像が無電源で維持される媒体であり、前記記録媒体の前記光導電層を前記画像表示手段に向けて前記収納部に収納し、前記画像表示手段の１度の発光、及び前記電圧印加手段による前記記録媒体への１度の電圧の印加によって前記画像表示手段の画像を前記記録媒体に記録し、前記記録媒体に記録された画像を前記保護パネルを通して表示することを特徴とする。
【００３９】
請求項１４に記載の画像表示装置の使用方法では、画像表示手段の１度の発光、電圧印加手段による記録媒体への１度の電圧の印加によって画像表示手段の画像が記録媒体に記録される。
【００４０】
ここで、記録媒体の光導電層が画像表示手段側を向いている。即ち、表示層は保護パネル側を向いており、且つ表示層によって表示される画像は無電源で維持されるので、画像表示手段の画像を直接保護パネルを通して表示するのではなく、記録媒体に記録された画像を保護パネルを通して表示できる。
【００４１】
これによって、画像表示手段は記録媒体に画像を記録する時に１度発光させるだけで、画像記録後は画像表示手段を発光させる必要がないので、消費電力を低減できる。
【００４２】
請求項１５に記載の画像表示装置の使用方法は、請求項１４に記載の画像表示装置の使用方法であって、前記記録媒体を前記収納部から取り出して前記画像表示手段の画像を前記保護パネルを通して直接表示することを特徴とする。
【００４３】
請求項１５に記載の画像表示装置の使用方法では、記録媒体に転写された画像を保護パネルを通して表示する他に、収納部から記録媒体を取り出して画像表示手段の画像を保護パネルを通して直接表示する。
【００４４】
このため、周囲が暗く、記録媒体の表示層によって表示される画像が見難い時等は、画像表示手段を発光させて画像表示手段の画像を直接見ることができる。従って、消費電力を低減できると共に、表示画像の視認性も確保できる。
【００４５】
【発明の実施の形態】
以下に図面を参照しながら本発明の第１実施形態について説明する。
【００４６】
図１に示すように、画像表示装置としての携帯電話１０は、画像表示部１２と、画像表示部１２が開閉可能に連結された本体部１４とで構成されている。画像表示部１２は、記録媒体としての光書込み型電子ペーパー（以下、電子ペーパーという）１６へ画像の光書込みを行う。
【００４７】
電子ペーパー１６の耳部１６Ｆには電圧印加手段３４（図９参照）によって電圧を印加するためのスルーホール端子３６が形成されているが、詳細は後述する。
【００４８】
画像表示部１２のケーシングは、液晶ＬＣＤユニット２１等を収納する第１ケーシング２０と、保護パネル１８を中央部に備える枠体であり、第１ケーシング２０に収納された液晶ＬＣＤユニット２１のカバーとなる第２ケーシング２６とで構成されている。液晶ＬＣＤユニット２１は、保護パネル１８に面した透過型の液晶ＬＣＤ２２（図７（Ａ）〜（Ｅ）参照）、液晶ＬＣＤ２２の背面に面したバックライトユニット２４（図７（Ａ）〜（Ｅ）参照）とで構成されている。
【００４９】
第１ケーシング２０の側面に設けられたレバーは、バックライトユニット２４を液晶ＬＣＤ２２に対して接離させるバックライト位置調整レバー３７である。また、本体部１４の側面には、電子ペーパー１６への光書込みの指示をＣＰＵ４９（図９参照）に出すプリントボタン４０と、シャッタボタン４２が設けられている。
【００５０】
第２ケーシング２６は、４隅をそれぞれ４個のヒンジ２８によって第１ケーシング２０に連結されている。このヒンジ２８は屈伸可能とされており、第２ケーシング２６を第１ケーシング２０に固定する２つの固定レバー３０による固定を図２に示すように解除すると、第２ケーシング２６を第１ケーシング２０から離すことができる。これによって、第１ケーシング２０と第２ケーシング２６との間に間隙が生まれ、この間隙が電子ペーパー１６を収納する収納部３２となる。なお、凹部２０Ａが第１ケーシング２０に第２ケーシング２６の縁に沿って２箇所に形成されており、この凹部２０Ａに指を入れて第２ケーシング２６を持ち上げることができる。
【００５１】
図３に示すように、収納部３２に電子ペーパー１６が収納されている状態で、プリントボタン４０が押されると電圧印加手段３４によって電子ペーパー１６に電圧パルスが印加され、バックライトユニット２４から発せられた光が液晶ＬＣＤ２２を透過して電子ペーパ１６に照射される。これによって、電子ペーパー１６に液晶ＬＣＤ２２の画像がプリントされる。
【００５２】
電圧印加手段３４による電圧パルスは、バッテリーから供給されるＤＣ電源をスイッチング回路を用いて生成される。そのようなパルス生成には、例えば、ＲＯＭのような波形記憶手段とＤＡ変換手段と制御手段とを有し、電圧印加時にＲＯＭから読み出した波形をＤＡ変換して供給する回路を用いることができる。また、パルス発生回路のような電気回路的な方式でパルスを発生させる手段等の駆動パルスを印加する手段を用いることができる。
【００５３】
ここで、本実施形態で用いられる電子ペーパ１６の一例を説明する。
【００５４】
図４に示すように、図中矢印Ａ方向にバックライトユニット２４から発せられた光を照射される電子ペーパー１６は、２枚の透明なフィルム１６Ａの間に画像形成層１６´等が積層されたフレキシブルな記録媒体である。なお、矢印Ａ方向の光が入射する面をＡ面、Ａ面の裏面をＢ面と呼ぶ。
【００５５】
画像形成層１６´は、表示層としてのコレステリック液晶層１６Ｂと光導電層（光感光層）１６Ｃとで構成されている。２枚のフィルム１６Ａの内面には共に透明電極膜（ＩＴＯ膜）１６Ｄが蒸着やスパッタリング等によって形成されている。ＡＢ両面のＩＴＯ膜１６Ｄの間には、Ａ面側から順に、光導電層１６Ｃ、遮光層（光吸収層）１６Ｅ、コレステリック液晶層１６Ｂが積層されている。
【００５６】
光導電層１６Ｃは、ベンズイミダールペリレン（ＢＺＰ）をＩＴＯ膜１６Ｄに蒸着することによって形成された電荷発生層と、ビフェニルージアミン系材７．２％、ポリカーボネートビスフェノールＺ（ポリ（４、４´−シクロヘキシリデンジフェニレンカーボネート））１０．８％、モノクロロベンゼン８２％の溶液をさらにモノクロロベンゼンにより２倍に希釈し、スピンコートによって電荷発生層に塗布することによって形成された電荷輸送層と、この電荷輸送層に蒸着によって形成された上記電荷発生層と、で構成されている。
【００５７】
また、遮光層１６Ｅは、黒色樹脂ＢＫＲ−１０５（日本化薬社製）をスピンコート塗布することによって形成されている。
【００５８】
また、コレステリック液晶層１６Ｂは、遮光層１６ＥとＢ面側のＩＴＯ膜１６Ｄとの間に空セルを形成し、この空セルに材料を注入し、注入された表示材料をＵＶ光の照射によってＵＶ重合させることによって形成されている。
【００５９】
表示材料は、正の誘電率異方性を有するネマチック液晶Ｅ１８６（メルク社製）を７２．３ｗｔ％、右旋性のカイラル剤ＣＢ１５（メルク社製）を１３．９ｗｔ％及び右旋性のカイラル剤ＣＥ２（メルク社製）を１３．９ｗｔ％を混合したものに、更にチオール系ＵＶ重合高分子前駆体ＮＯＡ６５（ノーランド社製）を１５ｗｔ％添加して調整している。上記混合物はグリーンの色光を選択反射するように液晶とカイラル剤の割合が選択されている。
【００６０】
また、電子ペーパー１６の１組の対辺には、樹脂がコ字状にコーティングされた耳部１６Ｆが形成されている。そして、耳部１６ＦのＡ面には、２層のＩＴＯ膜１６Ｄを電圧印加手段３４の端子４６（図７（Ａ）〜（Ｅ）参照）に導通させるためのスルーホール端子３６が、２層のＩＴＯ膜１６Ｄからそれぞれ延出している。
【００６１】
このスルーホール端子３６を介してＡ、Ｂ両面のＩＴＯ膜１６Ｄの間に電圧印加手段３４によって電圧が印加されると共に、バックライトユニット２４から発せられて液晶ＬＣＤ２２を透過した光がＡ面側から照射されると、光導電層１６Ｃに液晶ＬＣＤ２２からの露光パターンに応じたインピーダンス変化が誘起され、潜像が形成される。そして、このインピーダンス変化によってコレステリック液晶層１６Ｂに選択的に電圧が印加されている状態となる。
【００６２】
この状態で、電子ペーパー１６への電圧の印加が解除されると、コレステリック液晶層１６Ｂは露光パターンに従って緑色を示す選択波長反射を示すプレーナ状態、及び光透過状態による背景色（ここでは黒色）を示すフォーカルコニック状態を取る。これによって、光導電層１６Ｃに形成された潜像がＢ面側に外光Ｌの反射画像として表示される。即ち、液晶ＬＣＤ２２に表示された画像と同じ画像が電子ペーパー１６に複写記録される。
【００６３】
画像が記録された電子ペーパー１６は、メモリ性を有し、収納部３２から取り出された状態（図３参照）でも、無電源で表示画像を維持できる。また、電子ペーパー１６は、書換えが可能、即ち再利用が可能であるため、環境負荷が低いという利点がある。
【００６４】
なお、電子ペーパー１６は、１コマ毎にカットする必要はなく、図５、図６に示すように複数コマ毎にカットしても良い。この場合、画像表示部１２によって表示される連続写真や長文メール等を１枚の電子ペーパー１６に連続して複写でき、見易くなる。
【００６５】
次に、画像表示部１２の構造について説明する。
【００６６】
図７（Ａ）に示すように、第２ケーシング２６の凹状の中央部に保護パネル１８が配設されている。第１ケーシング２０には、保護パネル１８に面して液晶ＬＣＤ２２が配設され、液晶ＬＣＤ２２の裏面に面してバックライトユニット２４が配設されている。
【００６７】
バックライトユニット２４は、液晶ＬＣＤ２２の１の縁部に沿って延出する冷陰極管４２と、液晶ＬＣＤ２２の裏面に面して配設され、冷陰極管４２を収納するリフレクタ４４とで構成されている。冷陰極管４２から発せられた光はリフレクタ４４で液晶ＬＣＤ２２の裏面に反射され、液晶ＬＣＤ２２を透過する。これによって、液晶ＬＣＤ２２に表示された画像を視認できる。
【００６８】
また、第２ケーシング２６と第２ケーシング２６を連結するヒンジ２８は、第２ケーシング２６に回動可能に連結された第１アーム２８Ａと、第１ケーシング２０に回動可能に連結された第２アーム２８Ｂと、が回動可能に連結されたもので、屈伸して保護パネル１８を液晶ＬＣＤ２２に対して接離させる。これによって、収納部３２の電子ペーパー１６の厚み方向の幅が調整可能となっている。通常の表示状態では、保護パネル１８は液晶ＬＣＤ２２に密着されている。また、第１ケーシング２０には、第２ケーシング２６に面して電圧印加手段３４（図９参照）の端子４６が設けられている。
【００６９】
また、バックライトユニット２４は、液晶ＬＣＤ２２に接離する方向（図中矢印Ａ方向）に移動可能とされ、液晶ＬＣＤ２２から離れる方向に図示しない付勢手段によって付勢されている。また、リフレクタ４４の傾斜面４４Ａに斜面４８Ａを当接させる台形柱形状のカム４８が設けられている。このカムは、バックライト位置調整レバー３７（図１参照）によって矢印Ａ方向に直行する方向（図中矢印Ｂ方向）に移動可能となっており、カム４８の斜面４８Ａがリフレクタ４４の傾斜面４４Ａを押してリフレクタ４４を液晶ＬＣＤ２２に接近させる。これによって、液晶ＬＣＤ２２の画像を電子ペーパー１６にプリンタする時に、焦点距離を調整できるので、ピンぼけを防止できる。
【００７０】
図７（Ｂ）に示すように、ヒンジ２８を伸ばして第２ケーシング２６を第１ケーシング２０から離すと、収納部３２が生まれ、電子ペーパー１６が挿入可能となる。電子ペーパー１６を収納部３２へ挿入すると、スルーホール端子３６が端子４６に接触し、電子ペーパー１６に電圧を印加できるようになる。
【００７１】
図７（Ｃ）に示すように、ヒンジ２８を曲げて第２ケーシング２６を第２ケーシング２０に接近させて保護パネル１８と液晶ＬＣＤ２２で電子ペーパー１６を挟み込み、電子ペーパー１６を液晶ＬＣＤ２２に密着させる。
【００７２】
以下、プリント方法について説明する。
【００７３】
携帯電話１０の電源が投入されると図８のフローチャートが開始され、ステップ２０１に進む。ステップ２０１では、本体部１４に設けられたメニューボタン３９（図１、図９参照）によってプリントモードに設定されるまで否定判定が繰り返され、肯定されるとステップ２０２に進む。
【００７４】
ステップ２０２では、プリントボタン３８が押されるまで否定判定が繰り返され、肯定されるとステップ２０３に進む。ステップ２０３では、ＣＰＵ４９（図９参照）が電圧印加手段３４によって電子ペーパー１６に電圧を印加させ、電子ペーパー１６に液晶ＬＣＤ２２の画像を複写させる。そして、ステップ２０４に進み、ＣＰＵ４９が電圧印加手段３４による電子ペーパー１６への電圧の印加を解除させる。
【００７５】
ここで、図７（Ｄ）に示すように、ヒンジ２８を伸ばして保護プレート１８と液晶ＬＣＤ２２による電子ペーパー１６の挟み込みを解除し、電子ペーパー１６を収納部３２から取り出す。この時、電圧印加手段３４による電圧の印加が解除されているので、光導電層１６Ｃに形成された潜像が崩れることはない。
【００７６】
そして、図７（Ｅ）に示すように、ヒンジ２８を曲げて保護パネル１８を通常の表示状態の位置に戻し、ステップ２０５へ進む。
【００７７】
ステップ２０５では、プリントモードが解除されるまで否定判定が繰り返され、肯定されると、本フローが終了する。
【００７８】
このように、液晶ＬＣＤ２２と電子ペーパー１６との間に保護パネル１８を介在させずに液晶ＬＣＤ２２の画像を電子ペーパー１６に複写させることによって、液晶ＬＣＤ２２を透過した光が減衰されたり屈折されることがない。また、バックライトユニット２４、液晶ＬＣＤ２２、及び電子ペーパー１６の焦点距離を調整できる。従って、ピンぼけのない鮮明な画像が適当な明るさで電子ペーパー１６にプリントされる。
【００７９】
なお、プリントモードに設定されると、液晶ＬＣＤ２２の画像の色相、明るさ、コントラスト等をプリント用に切換えるようにすると、液晶ＬＣＤ２２の画像を適当な色相、明るさ、コントラスト等で電子ペーパー１６に複写できる。
【００８０】
また、本実施形態では、携帯電話１０に電圧印加手段３４を設けたが、図１０に示すように、別体の電圧印加装置３５に電圧印加手段３４に設けても良い。この電圧印加装置３５には、端子４６、プリントボタン４０、及び電源を設ける必要がある。
【００８１】
次に、第２実施形態について説明する。なお、第１実施形態と同一の構成については同一の符号を付し、説明を省略する。
【００８２】
図１１に示すように、画像表示装置としての携帯電話５０の画像表示部５２には、液晶ＬＣＤユニット２１（図７参照）と第２ケーシング５４の外面５４Ａとの間に、上述した収納部３２とは別に、電子ペーパー１６を収納する第２収納部５６が設けられている。
【００８３】
ここで、電子ペーパー１６は、外光Ｌがコレステリック液晶層１６Ｂによって反射されることによって画像を視認できるようになっている。このため、室内等の周囲が暗い環境では、電子ペーパー１６の画像が見え難いと問題がある。そこで、周囲が暗いときは、電子ペーパー１６は、第２収納部５６に収納し、液晶ＬＣＤユニット２１を駆動させて液晶ＬＣＤ２２の画像を直接表示させる。
【００８４】
ここで、図４に示すように、電子ペーパー１６は、光導電層１６Ｃが光書込み側に設けられ、コレステリック液晶層１６ＢがＢ面側、即ち保護パネル１８側に設けられている。このため、電子ペーパー１６に転写された画像を保護パネル１８を通して見ることができる。また、電子ペーパー１６に転写された画像は無電源で維持される。
【００８５】
そこで、屋外などの周囲が明るい環境では、図１２に示すように、電子ペーパー１６を収納部３２に挿入し、液晶ＬＣＤ２２の１度の発光、及び電圧印加手段３４の電子ペーパー１６への１度の電圧の印加によって液晶ＬＣＤ２２の画像を電子ペーパー１６に転写し、その転写された画像を保護パネル１８を通して表示する。
【００８６】
これによって、冷陰極管４２の発光、及び液晶ＬＣＤ２２の画像の表示による電力の消費を低減できると共に、表示画像の視認性も確保できる。
【００８７】
なお、第１、第２実施形態では、携帯電話を例に取って本発明の画像表示装置を説明したが、これに限らず図１３に示すデジタルカメラ６０に設けられた液晶ＬＣＤユニット６２、図１４に示す携帯端末としてのＰＤＡ７０の液晶ＬＣＤユニット７２にも本発明を適用可能である。
【００８８】
また、第１、第２実施形態では、画像表示装置を透過型液晶の表示装置を例に取って説明したが、これに限らず、反射型液晶、有機ＥＬ等、他の表示装置にも適用可能である。
【００８９】
また、第１、第２実施形態では、記録媒体をコレステリック液晶層を表示層とする光書き込み型電子ペーパーを例に取って説明したが、これに限らず、インスタントフィルムや図１５に示すように、電気泳動方式表示層１７Ｂを備える電子ペーパー１７等、他の記録媒体も適用可能である。
【００９０】
この電子ペーパー１７は、電気泳動式表示層１７Ｂが多数の単位セル１７Ｂ´で構成されており、この単位セル１７Ｂ´には、液体、又は気体、及び白色粒子１９、黒色粒子２３が封入されている。光パターンが照射されると共に、一対のＩＴＯ膜１７Ｄ間に電圧が印加されると、光導電層１７Ｃに静電潜像が形成される。この時、単位セル１７Ｂ´内に発生した電界作用によって、単位セル１７Ｂ´に封入された白色粒子１９が負に帯電され、黒色粒子２３が正に帯電される。そして、白色粒子１９、及び黒色粒子２３が、背面側、又は表示側に吸引される。これによって、光導電層１７Ｃに形成された静電潜像が可視化される。
【００９１】
さらに、第１、第２実施形態では、表示層と光導電層とを備える記録媒体にＬＣＤを透過した光を照射し、電圧を印加することによって画像を形成するような構成としたが、ＬＣＤの表示画像に応じてドット単位で電圧の印加のオン／オフをできる電圧印加手段を設けることによって、光導電層を備えないトナーディスプレイ型（電気詠動式）電子ペーパーにも画像を形成できる。
【００９２】
【発明の効果】
本発明は上記構成にしたので、画像表示手段からの発光を減衰させ、屈折させることなく記録媒体に入射させ、ピンぼけのない鮮明な画像を適当な明るさで記録媒体に記録できる。
【図面の簡単な説明】
【図１】第１実施形態の携帯電話と携帯電話の画像表示部の画像を転写される電子ペーパーを示す斜視図である。
【図２】第１実施形態の携帯電話と携帯電話の画像表示部の画像を転写される電子ペーパーを示す斜視図である。
【図３】第１実施形態の携帯電話と携帯電話の画像表示部の画像を転写される電子ペーパーを示す斜視図である。
【図４】第１実施形態の携帯電話の画像表示部の画像を転写される電子ペーパーを示す断面図である。
【図５】第１実施形態の携帯電話と携帯電話の画像表示部の画像を転写される電子ペーパーを示す斜視図である。
【図６】第１実施形態の携帯電話と携帯電話の画像表示部の画像を転写される電子ペーパーを示す斜視図である。
【図７】（Ａ）第１実施形態の携帯電話の画像表示部と画像表示部によって画像を転写される電子ペーパーを示す断面図である。
（Ｂ）第１実施形態の携帯電話の画像表示部と画像表示部によって画像を転写される電子ペーパーを示す断面図である。
（Ｃ）第１実施形態の携帯電話の画像表示部と画像表示部によって画像を転写される電子ペーパーを示す断面図である。
（Ｄ）第１実施形態の携帯電話の画像表示部と画像表示部によって画像を転写される電子ペーパーを示す断面図である。
（Ｅ）第１実施形態の携帯電話の画像表示部と画像表示部によって画像を転写される電子ペーパーを示す断面図である。
【図８】第１実施形態の携帯電話の画像表示部によるプリント工程を示すフローチャートである。
【図９】第１実施形態の携帯電話の制御シーケンスを示す回路図である。
【図１０】第１実施形態の携帯電話と携帯電話の画像表示部の画像を転写される電子ペーパーの変形例を示す斜視図である。
【図１１】第２実施形態の第１実施形態の携帯電話と携帯電話の画像表示部の画像を表示する電子ペーパーを示す斜視図である。
【図１２】第２実施形態の第１実施形態の携帯電話と携帯電話の画像表示部の画像を表示する電子ペーパーを示す斜視図である。
【図１３】本発明を適用したデジタルカメラを示す斜視図である。
【図１４】本発明を適用したＰＤＡを示す斜視図である。
【図１５】電子ペーパーの変形例を示す断面図である。
【符号の説明】
１０    携帯電話（画像表示装置）
１６    電子ペーパー（記録媒体）
１６Ｂ  コレステリック液晶層（表示層）
１６Ｃ  光導電層
１６Ｄ  透明電極膜（電極）
１７    電子ペーパー（記録媒体）
１７Ｂ  電気泳動式表示層（表示層）
１７Ｃ  光導電層
１７Ｄ  透明電極膜（電極）
１８    保護パネル
２１    液晶ＬＣＤユニット（画像表示手段）
２２    液晶層（表示画面）
２４    バックライトユニット（発光手段）
２８    ヒンジ（第１接離手段）
３２    収納部
３４    電圧印加手段
３５    電圧印加手段
３８    プリントボタン（操作手段）
４２    冷陰極管（発光手段）
４８    カム（第２接離手段）
４９    ＣＰＵ（制御手段）
５０    携帯電話（画像表示装置）
６０    デジタルカメラ（画像表示装置）
６２    液晶ＬＣＤユニット（画像表示手段）
７０    ＰＤＡ（画像表示装置、携帯端末）
７２    液晶ＬＣＤユニット（画像表示手段）
【図１】
2005010663.tif 000003
【図２】
2005010663.tif 000004
【図３】
2005010663.tif 000005
【図４】
2005010663.tif 000006
【図５】
2005010663.tif 000007
【図６】
2005010663.tif 000008
【図７】
2005010663.tif 000009
【図８】
2005010663.tif 000010
【図９】
2005010663.tif 000011
【図１０】
2005010663.tif 000012
【図１１】
2005010663.tif 000013
【図１２】
2005010663.tif 000014
【図１３】
2005010663.tif 000015
【図１４】
2005010663.tif 000016
【図１５】
2005010663.tif 000017